(57)【要約】【課題】商用電源が停電した場合に負荷に対して安全かつ速やかに所望の電力を供給することができ、かつ低価格な非常用電源装置を提供する。【解決手段】商用電源６０の電力を非常用電源６２を充電する電力に変換する第１の変換機能と、非常用電源６２の電力を負荷６１に供給する電力に変換する第２の変換機能とを外部からの信号によって選択的に実行する電力変換器２と、商用電源６０が正常なときは、電力変換器２を第１の変換機能で動作させる信号を出力し、商用電源６０が異常のときは、電力変換器２を第２の変換機能で動作させる信号を出力する制御回路３と、非常用電源６２と電力変換器２との接続を手動で断続する断続スイッチ９とを備えた非常用電源装置１である。【選択図】図１
2013039013.tif 000002
【特許請求の範囲】
【請求項１】
商用電源と電気的に接続するための第１の端子と、
非常用電源と電気的に接続するための第２の端子と、
負荷と電気的に接続するための第３の端子と、
前記第１及び第２の端子にそれぞれ第１及び第２の断続スイッチを介して電気的に接続するとともに、前記第３の端子に直接電気的に接続して、前記商用電源の電力を前記非常用電源を充電する電力に変換する第１の変換機能と、前記非常用電源の電力を前記負荷に供給する電力に変換する第２の変換機能とを外部からの信号によって選択的に実行する電力変換器と、
前記商用電源が正常なときは、前記電力変換器を前記第１の変換機能で動作させる前記信号を出力し、前記第１及び第２の端子と前記電力変換器とが電気的に接続するように前記第１及び第２の断続スイッチを動作させ、前記商用電源が異常のときは、前記電力変換器を前記第２の変換機能で動作させる前記信号を出力し、前記第１及び第２の端子と前記電力変換器とが電気的に切断されるように前記第１及び第２の断続スイッチを動作させる制御回路と、
前記第２の断続スイッチと並列に配された手動の断続スイッチと
を備えたことを特徴とする非常用電源装置。
【請求項２】
太陽電池と電気的に接続するための第４の端子と、
前記第２の端子と前記第４の端子とを電気的に接続する導通部材とを更に備えたことを特徴とする請求項１に記載の非常用電源装置。
【請求項３】
前記制御回路は、前記商用電源が正常であって、かつ所定の時間帯であるときは、前記電力変換器を前記第１の変換機能で動作させる前記信号を出力し、前記第１及び第２の端子と前記電力変換器とが電気的に接続するように前記第１及び第２の断続スイッチを動作させることを特徴とする請求項１に記載の非常用電源装置。
【請求項４】
前記非常用電源は蓄電池であり、
前記第２の端子に接続する前記蓄電池の残存容量を算出する残存容量演算回路と、
算出した残存容量を表示する表示回路とを更に備えたことを特徴とする請求項１に記載の非常用電源装置。
【請求項５】
前記残存容量演算回路は、任意時刻における前記蓄電池の開放電圧値と所定時刻からの放電電力量とのデータの組を複数求め、
この複数の組のデータから前記開放電圧値と放電電力量との関係式を特定し、
特定した関係式に基いて開放電圧値が０となる最終放電電力量を推定し、
前記最終放電電力量と現在の放電電力量との差を残存容量として求めること
を特徴とする請求項４に記載の非常用電源装置。
【請求項６】
少なくとも前記電力変換器と前記制御回路とを収納可能になされ、運搬用の取手を設けた筐体を更に備え、
前記筐体の表面に前記第１乃至第４の端子と、前記手動の断続スイッチと、前記表示回路とを配したことを特徴とする請求項４に記載の非常用電源装置。
【請求項７】
前記非常用電源は蓄電池であり、
前記蓄電池または太陽電池を電気的に並列に接続する複数の端子と、
前記蓄電池または太陽電池の電気的な接続を前記端子毎に断続する手動スイッチと、
並列に接続された前記蓄電池または太陽電池を前記非常用電源装置の前記第２の端子に接続させるための端子部材と
を有する多重化装置を
更に備えたことを特徴とする請求項２に記載の非常用電源装置。
【請求項８】
乾電池を複数直列に接続するための直列接続部材と、
直列に接続された複数の乾電池を前記非常用電源装置の前記第２の端子に接続させるための端子部材と
を有する乾電池ユニットを
更に備えたことを特徴とする請求項２に記載の非常用電源装置。
【請求項９】
単相の電機子巻線を有する１次回路と、
永久磁石を有する２次回路と、
前記２次回路を回転させるための回転装置と、
前記電機子巻線の出力を前記第１の端子に接続させるための端子部材と
を有する発電ユニットを
更に備えたことを特徴とする請求項２に記載の非常用電源装置。
【請求項１０】
前記非常用電源を更に備えたことを特徴とする請求項１に記載の非常用電源装置。
【請求項１１】
前記電力変換器は、前記第３の端子と交流フィルタを介して接続され、
前記交流フィルタは、電力信号に含まれるＰＷＭ制御された高調波成分を低減するようになされていることを特徴とする請求項１に記載の非常用電源装置。
【請求項１２】
前記電力変換器は、前記第２の端子と直流フィルタを介して接続され、
前記直流フィルタは、電力信号に含まれるＰＷＭ制御された高調波成分を低減するようになされていることを特徴とする請求項１に記載の非常用電源装置。
【発明の詳細な説明】
【技術分野】
【０００１】
本発明は、非常用電源装置に関する。
【背景技術】
【０００２】
非常用電源装置は、商用電源の交流電力が停電事故等で供給不能となった時、負荷の少なくとも1部に電力供給を行なうための発電機である。非常用電源装置は、自家発電設備とも呼ばれる。
【０００３】
図１６、図１７は、特許文献１に開示された、従来の非常用電源装置を示す図である。
図１６に示す非常用電源装置は、無停電電源装置（UPS: Uninterruptible Power System）を備える。商用電源７１が正常である時は、商用電源７１から供給される交流電圧は、コンバータ７６で直流電圧に変換され蓄電池８１に供給される。更に直流電圧はインバータ７７で交流電圧に変換されて負荷８２に給電される。商用電源７１に異常が発生した場合は、非常用電源装置は、原動機７３で駆動する非常用電源が起動するまでの間、蓄電池８１の直流電圧をインバータ７７で交流電圧に変換して負荷８２に無停電で供給する。
図１７に示す非常用電源装置では、図１６に示すコンバータ７６を双方向に電力変換できるＰＷＭ制御コンバータ８６で構成する。
【先行技術文献】
【特許文献】
【０００４】
【特許文献１】特開平５−３８０８０号公報
【発明の概要】
【発明が解決しようとする課題】
【０００５】
ところで、２０１１年３月１１日に発生した東日本大震災では被災地の商用電源の停電により、避難所などでは暖房や携帯電話の電源などが使用できなくなり、避難した人たちにとって過酷な状況が発生した。また被災地以外の地域においても、計画停電、節電などの影響により様々な不利益が生じた。従って、災害時におけるこのような状況を解決するために、正常時には電気エネルギーを貯蔵し、非常時にはその電気エネルギーを速やかに利用できる非常用電源装置が求められる。
【０００６】
先行文献１に記載の非常用電源装置は、商用電源が停電した場合においては、原動機、非常用発電機インバータ、および蓄電池、コンバータからなるＵＰＳを用いて無停電で負荷に電力を供給する信頼性の高い装置である。しかしながら、先行文献１に記載の非常用電源装置は、原動機、非常用電源などを必要としているため装置の価格が高価であり、また装置を動作させる際にも専門的な知識を要する。
【０００７】
本発明は上述した課題を解決するためになされたものであり、商用電源が停電した場合に負荷に対して安全かつ速やかに所望の電力を供給することができ、かつ低価格な非常用電源装置を提供することを目的とする。
【課題を解決するための手段】
【０００８】
上記課題を解決するための本発明の実施の形態によれば、商用電源と電気的に接続するための第１の端子と、非常用電源と電気的に接続するための第２の端子と、負荷と電気的に接続するための第３の端子と、前記第１及び第２の端子にそれぞれ第１及び第２の断続スイッチを介して電気的に接続するとともに、前記第３の端子に直接電気的に接続して、前記商用電源の電力を前記非常用電源を充電する電力に変換する第１の変換機能と、前記非常用電源の電力を前記負荷に供給する電力に変換する第２の変換機能とを外部からの信号によって選択的に実行する電力変換器と、前記商用電源が正常なときは、前記電力変換器を前記第１の変換機能で動作させる前記信号を出力し、前記第１及び第２の端子と前記電力変換器とが電気的に接続するように前記第１及び第２の断続スイッチを動作させ、前記商用電源が異常のときは、前記電力変換器を前記第２の変換機能で動作させる前記信号を出力し、前記第１及び第２の端子と前記電力変換器とが電気的に切断されるように前記第１及び第２の断続スイッチを動作させる制御回路と、前記第２の断続スイッチと並列に配された手動の断続スイッチとを備えた非常用電源装置が提供される。
【図面の簡単な説明】
【０００９】
【図１】第１の実施の形態の非常用電源装置の構成と周辺の装置の接続を示す図。
【図２】第２の実施の形態の非常用電源装置の構成と周辺の装置の接続を示す図。
【図３】第３の実施の形態の非常用電源装置の構成と周辺の装置の接続を示す図。
【図４】第４の実施の形態の非常用電源装置の構成と周辺の装置の接続を示す図。
【図５】第５の実施の形態の非常用電源装置の構成と周辺の装置の接続を示す図。
【図６】第６の実施の形態の充電方法を説明するための図。
【図７】第７の実施の形態の非常用電源装置の構成と周辺の装置の接続を示す図。
【図８】第７の実施の形態の残存容量演算回路の構成を示す図。
【図９】第７の実施の形態の蓄電池の等価回路を示す図。
【図１０】第７の実施の形態の開放電圧値と放電電力量との関係を示す図。
【図１１】第８の実施の形態の非常用電源装置の構成を示す図。
【図１２】第９の実施の形態の非常用電源装置に接続する多重化装置の構成を示す図。
【図１３】第１０の実施の形態の非常用電源装置に接続する多重化装置の構成を示す図。
【図１４】第１１の実施の形態の非常用電源装置に接続する乾電池ユニットの構成を示す図。
【図１５】第１２の実施の形態の非常用電源装置に接続する発電ユニットの構成を示す図。
【図１６】従来の非常用電源装置を示す図。
【図１７】従来の非常用電源装置を示す図。
【発明を実施するための形態】
【００１０】
（第１の実施形態）  
図１は、第１の実施の形態の非常用電源装置の構成と周辺の装置の接続を示す図である。図１において、非常用電源装置を構成する各部位と周辺の装置は参照符号を用いて識別するが、各部位間及び装置との間の信号は、信号（Ｓｉｇｎａｌ）を表すＳを頭に付した参照符号を用いて識別する。
【００１１】
非常用電源装置１には、商用電源６０、負荷６１及び蓄電池６２が接続される。商用電源６０は、正常時においては、例えば、交流１００Ｖを非常用電源装置１に供給する。非常用電源装置１は、正常時において、商用電源６０を用いて蓄電池６２を充電する。なお、非常用電源装置１は、正常時においては、負荷６１に給電しない。  
商用電源６０の供給電圧が正常な範囲にない異常時においては、非常用電源装置１は、蓄電池６２を用いて、例えば、交流１００Ｖを生成して負荷６１に出力する。
【００１２】
なお、非常用電源装置１は、正常時と異常時とを内部に設けられた回路（後述する）によって判断するが、負荷６１への電圧出力は、自動で行なわれず、操作者が手動で操作することによって行なわれる。これは、商用電源６０が異常になった場合は、負荷６１は何らかの異常状態に置かれていることも考えられるため、操作者が安全を確認して負荷６１への電源供給を再開するべきとの技術思想に基づくためである。
【００１３】
図１を参照しつつ非常用電源装置１の構成と動作について説明する。非常用電源装置１は、電力変換器２、制御回路３、リレー制御回路４、交流電圧検出器５、直流電圧検出器６、Ｂ接点７、Ｂ接点８、手動スイッチ９、コンセント１０、コンセント１１、コンセント１２を備えている。
【００１４】
コンセント１０は、商用電源６０と接続して交流電圧を入力するための端子である。交流電圧検出器５は、商用電源６０の電圧値を検出して交流電圧検出値信号Ｓ１４を制御回路３に出力する。コンセント１１は、負荷６１と接続して交流電圧を出力するための端子である。コンセント１２は、蓄電池６２と接続するための端子である。
【００１５】
電力変換器２の一方の端子は、コンセント１０及びコンセント１１と接続し、他方の端子はコンセント１２と接続する。
【００１６】
電力変換器２は、商用電源６０が正常時には、コンセント１０から入力された交流電圧を直流電圧に変換してコンセント１２に出力する。
【００１７】
電力変換器２は、商用電源６０が異常時には、コンセント１２から入力された直流電圧を交流電圧に変換してコンセント１１に出力する。
【００１８】
この電圧変換器２の動作は、制御回路３からのフィードバック信号に基づいて制御される（後述）。即ち、電力変換器２は、双方向ＡＣ／ＤＣ変換器である。電力変換器２は、例えば、双方向に電力変換できるＰＷＭコンバータを用いて構成することができる（例えば、特許文献１参照）。
【００１９】
直流電圧検出器６は、蓄電池６２の直流電圧を検出して、直流電圧検出値信号Ｓ１９を制御回路３に出力する。
【００２０】
制御回路３は、交流電圧検出値信号Ｓ１３と直流電圧検出値信号Ｓ１９を用いて交流電圧または直流電圧のフィードバック制御を行い、電力変換器２に対してゲート制御信号を出力すると共に、リレー制御回路４に対して系統状態信号Ｓ１５を出力する。
【００２１】
リレー制御回路４は、系統状態信号Ｓ１５に基づいて、Ｂ接点７及びＢ接点８の断続動作を制御する。
【００２２】
Ｂ接点７は、リレー制御回路４からのＢ接点制御信号Ｓ１６によって、コンセント１０と電力変換器２との信号接続を断続する。
【００２３】
Ｂ接点８は、リレー制御回路４からのＢ接点制御信号Ｓ１７によって、コンセント１２と電力変換器２との信号接続を断続する。
【００２４】
また、Ｂ接点８と並列に手動スイッチ９が設けられている。
【００２５】
続いて、非常用電源装置１の動作について説明する。  
上述のように構成された非常用電源装置１は、コンセント１０、コンセント１１、コンセント１２を介して、それぞれ商用電源６０、負荷６１、蓄電池６２と接続する。初期状態においては、手動スイッチ９は、オフ(開放)しておく。
【００２６】
商用電源６０が正常である揚合、制御回路３は、交流電圧検出器５が検出した交流電圧検出値信号Ｓ１４から、系統電圧が正常な電圧範囲内に維持されていると判断して、系統状態信号Ｓ１５を正常としてリレー制御回路４に出力する。
【００２７】
リレー制御回路４は、Ｂ接点７とＢ接点８をともにオン（閉状態）にするＢ接点制御信号Ｓ１６、Ｓ１７を出力する。
【００２８】
制御回路３は、直流電圧検出器６が検出した直流電圧検出値信号Ｓ１９から、蓄電池６２の電圧を判断する。蓄電池６２の直流電圧が所定の電圧値以下の場合は、制御回路３は、電力変換器２をコンバータとして制御し、蓄電池６２の直流電圧が所定の電圧範囲になるようにフィードバック制御を行なう。
【００２９】
商用電源６０が異常になると、制御回路３は、交流電圧検出器５が検出した交流電圧検出値信号Ｓ１４から、系統電圧が正常な電圧範囲内に維持されていないと判断して、系統状態信号Ｓ１５を異常としてリレー制御回路４に出力する。
【００３０】
リレー制御回路４は、Ｂ接点７とＢ接点８をともにオフ（開状態）にするＢ接点制御信号Ｓ１６、Ｓ１７を出力する。
【００３１】
制御回路３は、電力変換器２の制御を停止する。
【００３２】
操作者が、負荷６１へ電圧供給を行なっても安全であることを確認して、手動スイッチ９をオン（閉状態）にすると、制御回路３は、手動スイッチ９の状態を取得して、電力変換器２をインバータとして制御することにより、蓄電池６２の直流電圧を交流電圧に変換して負荷６１に所定の交流電力を供給する。
【００３３】
商用電源６０が正常な状態に復帰すると、上述のように制御回路３は、蓄電池６２の電圧が所定の電圧以下の場合は、蓄電池６２の直流電圧が所定の直流電圧になるようにフィードバック制御を行い、蓄電池６２の直流電圧が所定の範囲内になるように制御する。そして、蓄電池６２の直流電圧が所定の電圧範囲になった場合は、蓄電池６２の充電制御を停止する。
【００３４】
なお、操作者は、商用電源６０の電圧が正常な状態に復帰したことを確認して手動スイッチ９をオフ（開状態）とする。
【００３５】
第１の実施の形態の非常用電源装置１によれば、商用電源６０が異常となった場合において、安全かつ速やかに負荷６１に電力を供給することが可能となる。  
また、高価な原動機、非常用電源などを使用せず、既存の蓄電池６２を接続することにより負荷への電源供給を図っているため、低価格な非常用電源装置を構成することができる。
【００３６】
（第２の実施形態）  
第２の実施の形態では、非常用電源装置１の構成が第１の実施の形態と異なっている。従って、第１の実施の形態と同一の部位には同一の符号を付してその詳細の説明は省略する。
【００３７】
図２は、第２の実施の形態の非常用電源装置１の構成と周辺の装置の接続を示す図である。第２の実施の形態の非常用電源装置１は、蓄電池６２を含んで構成される。
【００３８】
第２の実施の形態によれば、非常用電源装置１が所定容量の蓄電池６２を備えているため、予め別の場所において蓄電池６２を充電しておくことによって、例えば、災害発生時に、速やかに必要な負荷に対して電力を供給することが可能である。従って、災害発生時の被害を低減することのできる、信頼性の高い低価格な非常用電源装置を構築することができる。
【００３９】
（第３の実施形態）  
第３の実施の形態では、非常用電源装置１の構成が第１の実施の形態と異なっている。従って、第１の実施の形態と同一の部位には同一の符号を付してその詳細の説明は省略する。
【００４０】
図３は、第３の実施の形態の非常用電源装置１の構成と周辺の装置の接続を示す図である。第３の実施の形態の非常用電源装置１は、電力変換器２の交流出力端子と系統との連系点との間に交流フィルタ１１８を接続した構成である。交流フィルタ１１８は、負荷６１に供給する交流電圧の高調波成分を除去して正弦波状の電圧を出力する。
【００４１】
第３の実施の形態によれば、停電時において、負荷６１に対して高品質の（高調波成分の少ない正弦波状の）電圧を供給することができる。
【００４２】
（第４の実施形態）  
第４の実施の形態では、非常用電源装置１の構成が第１の実施の形態と異なっている。従って、第１の実施の形態と同一の部位には同一の符号を付してその詳細の説明は省略する。
【００４３】
図４は、第４の実施の形態の非常用電源装置１の構成と周辺の装置の接続を示す図である。第４の実施の形態の非常用電源装置１は、電力変換器２の直流側に直流フィルタ１１９を接続した構成である。直流フィルタ１１９は、直流側に含まれる高調波成分を除去する。
【００４４】
第４の実施の形態によれば、停電時において、負荷６１に対して高品質の（高調波成分の少ない正弦波状の）電圧を供給することができる。
【００４５】
（第５の実施形態）  
第５の実施の形態では、非常用電源装置１は、太陽電池との接続も可能に構成している点で第１の実施の形態と異なっている。従って、第１の実施の形態と同一の部位には同一の符号を付してその詳細の説明は省略する。
【００４６】
図５は、第５の実施の形態の非常用電源装置１の構成と周辺の装置の接続を示す図である。第５の実施の形態の非常用電源装置１は、太陽電池６３と接続するためのコンセント１３を備えている。そして更に、コンセント１２とコンセント１３を結ぶ配線に逆流防止ダイオード１８を設けている。
【００４７】
第５の実施の形態の非常用電源装置１では、蓄電池６２または太陽電池６３が並列接続される。従って、商用電源６０が正常な状態では、昼間は太陽電池６３から蓄電池６２を充電することにより、蓄電池６２を充電するための商用電源６０からのエネルギー使用量（買電量）を低減することができる。
【００４８】
また、昼間に災害が発生した場合は、蓄電池６２と太陽電池６３から安全かつ速やかに負荷６１に対して必要な電力を供給することができる。災害の影響で、昼間太陽電池６３が利用できない場合には、蓄電池６２から負荷６１に必要な電力が供給される。もし、夜間に災害が発生した場合は、蓄電池６２から負荷６１に必要な電力が供給される。
【００４９】
第５の実施の形態によれば、第１の実施の形態の効果に加え、商用電源の停止時に、柔軟に非常用電源を供給することができる。
【００５０】
（第６の実施形態）  
第６の実施の形態では、蓄電池６２を充電する時間帯が予め決められている点で第５の実施の形態と異なっている。従って、第５の実施の形態と同一の部位には同一の符号を付してその詳細の説明は省略する。
【００５１】
第６の実施の形態では、電気料金の安価な時間帯（例えば、夜間など）に蓄電池６２を充電する。これ以外の時間帯には、蓄電池を充電しない。  
図６は、第６の実施の形態の充電方法を説明するための図である。制御回路３には、不図示のタイマが設けられている。制御回路３は、タイマの示す時間を参照して、蓄電池６２を充電するようにリレー制御回路４に系統状態信号を出力する。図６（１）では、電気料金の安価な時間帯ｔ１〜ｔ２において蓄電池６２が充電されることを表している。図６（２）では、蓄電池６２の電圧がこの充電時間帯ｔ１〜ｔ２においてＶ１〜Ｖ２に増加する様子を表している。
【００５２】
なお、第６の実施の形態の非常用電源装置１では、第１の実施の形態と同様に太陽電池に係る構成を含まなくても良い。
【００５３】
（第７の実施形態）  
第７の実施の形態では、非常用電源装置１が蓄電池６２の残存容量を求める機能を備えている点で第１の実施の形態と異なっている。従って、第１の実施の形態と同一の部位には同一の符号を付してその詳細の説明は省略する。
【００５４】
図７は、第７の実施の形態の非常用電源装置１の構成と周辺の装置の接続を示す図である。第７の実施の形態の非常用電源装置１は、直流電流検出器２０、残存容量演算回路２２、及び表示回路２５を更に備えている。
【００５５】
直流電流検出器２０は、蓄電池６２から電力変換器２に流れる電流を検出して直流電流検出値信号Ｓ２１を残存容量演算回路２２に出力する。残存容量演算回路２２は、直流電流検出器２０からの直流電流検出値信号Ｓ２１、直流電圧検出器６からの直流電圧検出値信号Ｓ１９、及び制御回路３からのＢ接点状態信号Ｓ２３に基づいて蓄電池６２の残存容量を演算し残存容量信号Ｓ２４を表示回路２５に出力する。表示回路２５は、蓄電池６２の残存容量を表示する。
【００５６】
図８は、第７の実施の形態の残存容量演算回路２２の構成を示す図である。残存容量演算回路２２は、開放電圧演算回路２６、乗算回路２７、積分回路２８、記憶回路２９、最終放電量演算回路３０、及び減算回路３１を備えている。
【００５７】
続いて、図８に示す残存容量演算回路２２の動作について説明する。  
残存容量演算回路２２を構成する開放電圧演算回路２６は、直流電圧検出値信号Ｓ１９、直流電流検出値信号Ｓ２１及びＢ接点状態信号Ｓ２３を入力し、開放電圧を演算する。
【００５８】
図９は、第７の実施の形態の蓄電池６２の等価回路を示す図である。この等価回路の電圧方程式は、式（１）で表される。  
Ｅ＝Ｖｄｃ＋Ｒ＊Ｉｄｃ                ・・・式（１）  
ここで、Ｅ＝内部起電力[Ｖ]、Ｖｄｃ＝直流電圧[Ｖ]、Ｉｄｃ＝直流電流[Ａ]、Ｒ＝内部抵抗[Ω]である。
【００５９】
Ｂ接点７、８が開放状態である場合は、蓄電池６２から電流が流れないため、Ｉｄｃ＝０である。従って、式（２）が成立する。即ち、直流電圧は内部起電力と等しくなる。  
Ｅ＝Ｖｄｃ                ・・・式（２）  
従って、Ｂ接点７、８が開放状態である場合に測定した直流電圧は、蓄電池６２の内部起電力Ｅ[Ｖ]を表す。
【００６０】
Ｂ接点状態信号Ｓ２３からＢ接点が閉状態である場合に測定した直流電圧Ｖｄｃと直流電流Ｉｄｃを用いて、蓄電池６２の内部抵抗Ｒは、式（３）で算出することができる。  
Ｒ＝（Ｅ−Ｖｄｃ）／Ｉｄｃ      ・・・式（３）
開放電圧演算回路２６は、直流電圧検出値信号Ｓ１９、及び直流電流検出値信号Ｓ２１を用いて蓄電池６２の内部起電力（開放電圧）を式（１）〜式（３）から算出し、開放電圧値ｙ[Ｖ]を表す開放電圧信号Ｓ３６を記憶回路２９に出力する。記憶回路２９は、開放電圧値ｙ[Ｖ]を記憶する。
【００６１】
乗算回路２７は、直流電圧検出値信号Ｓ１９と直流電流検出値信号Ｓ２１を乗算して得た、蓄電池６２の放電電力Ｐ[Ｗ]を表す放電電力信号Ｓ３２を積分回路２８に出力する。積分回路２８は、乗算回路２７から取得した蓄電池６２の放電電力Ｐ[Ｗ]の時間積分である放電電力量ｘ[Ｗｈ]を求め、放電電力量信号Ｓ３３として出力する。記憶回路２９は、放電電力量ｘ[Ｗｈ]を記憶する。
【００６２】
このようにして、記憶回路２９には、適宜の時間間隔で測定した開放電圧値ｙ[Ｖ]と放電電力量ｘ[Ｗｈ]とが保存される。
【００６３】
最終放電量演算回路３０は、記憶回路２９から、異なる３つの時刻で計測した開放電圧値ｙと放電電力量ｘとの組を入力し、開放電圧値ｙと放電電力量ｘとの関係を２次曲線で近似した関係式を求める。
【００６４】
図１０は、第７の実施の形態の開放電圧値ｙと放電電力量ｘとの関係を示す図である。時刻ｔ１、ｔ２、ｔ３における開放電圧値ｙと放電電力量ｘとのそれぞれの組を、（ｘ１、ｙ１）、（ｘ２、ｙ２）、（ｘ３、ｙ３）と定義すると、式（４）で示す関係が成立する。
【数１】
2013039013.tif 000003
【００６５】
式（４）を行列で表現すると式（５）を得る。  
【数２】
2013039013.tif 000004
【００６６】
ここで、式（６）でベクトルを定義する。  
【数３】
2013039013.tif 000005
【００６７】
式（５）は、式（７）で表現される。従って、ベクトルＫは、式（８）で表される。  
【数４】
2013039013.tif 000006
【００６８】
従って、式（４）で示す２次式の係数ａ，ｂ，ｃが求められる。この係数を用いて、開放電圧値ｙと放電電力量ｘとの関係は、式（９）の２次式で表される。  
【数５】
2013039013.tif 000007
【００６９】
最大放電電力量をｘＭとすると、ｘＭは式（９）において、ｙ＝０としたときのｘの値として求めることができる。  
【数６】
2013039013.tif 000008
【００７０】
最終放電量演算回路３０は、上述の演算を実行して最終放電電力量ｘＭ[Ｗｈ]を求め、最終放電電力量信号Ｓ３５として出力する。
【００７１】
減算回路３１は、現時刻ｔにおける残存容量ｘＲ[Ｗｈ]を式（１１）により求め、残存容量を表す残存容量信号Ｓ２４を表示回路２５に出力する。  
ｘＲ  ＝ｘＭ  −  ｘ      ・・・式（１１）
なお、開放電圧値ｙと放電電力量ｘとの関係を表す式は、上述の２次式に限られず、蓄電池の容量の減少を表す単調に減少する式であれば良い。また、関係式を求めるための時刻ｔ１、ｔ２、ｔ３は、適宜の時刻を選択すれば良い。更に、表示回路２５に表示を行なう間隔は、情報を提示するのに適切な間隔とし、例えば、１〜１０分の適宜の間隔を選ぶことができる。
【００７２】
第７の実施の形態の非常用電源装置１を用いて、蓄電池６２の残存容量を把握することにより、接続する負荷６１を適切に選択することができ、蓄電池６２の利用時間を推定することができる。従って、災害発生時において、有効に非常用電源装置１を利用することができる。
【００７３】
なお、蓄電池６２と太陽電池６３とを用いる場合には、蓄電池６２のみを用いる場合に上述の処理を実行する。
【００７４】
（第８の実施形態）  
第８の実施の形態では、非常用電源装置１は、可搬用に構成されている点で第５の実施の形態と異なっている。従って、第５の実施の形態と同一の部位には同一の符号を付してその詳細の説明は省略する。
【００７５】
図１１は、第８の実施の形態の非常用電源装置１の構成を示す図である。第８の実施の形態の非常用電源装置１は、運搬用の取手４３が設けられた鞄型の筐体４１と、その筐体４１の内部に配置された各部で構成されている。
【００７６】
即ち、筐体４１内には、電力変換器２、制御回路３、手動スイッチ９、商用電源用コンセント１０、負荷用コンセント１１、蓄電池用コンセント１２、太陽電池用コンセント１３、表示回路２５、接地端子４２等が設けられている。
【００７７】
災害発生時などの非常時において、図１１に示す構成の非常用電源装置１を、例えば、避難場所などに持ち運ぶことにより、直ちに必要な負荷に対して給電することができ、災害による影響を低減することができる。
【００７８】
（第９の実施形態）  
第９の実施の形態では、非常用電源装置１は、複数の太陽電池を並列に接続する。従って、第８の実施の形態と同一の部位には同一の符号を付してその詳細の説明は省略する。
【００７９】
図１２は、第９の実施の形態の非常用電源装置１に接続する多重化装置４４の構成を示す図である。多重化装置４４には、複数の手動スイッチ４５と接続端子４６とが、正極側配線４７と負極側配線４８の間に並列接続されて構成され、太陽電池用コンセント１３に接続される。太陽電池６３−１、・・・、６３−Ｎを、接続端子４６に接続した後、手動スイッチ４５を投入することにより、複数の太陽電池６３−１、・・・、６３−Ｎを並列に非常用電源装置１に接続することができる。なお、不図示の逆流防止ダイオードがそれぞれの太陽電池毎に設けられている。
【００８０】
複数の太陽電池を並列接続することにより、災害発生時において、多数の電気機器に対して必要な電力を速やかに供給することができる。
【００８１】
（第１０の実施形態）  
第１０の実施の形態では、非常用電源装置１は、複数の蓄電池を並列に接続する。従って、第８の実施の形態と同一の部位には同一の符号を付してその詳細の説明は省略する。
【００８２】
図１３は、第１０の実施の形態の非常用電源装置１に接続する多重化装置４４の構成を示す図である。多重化装置４４には、複数の手動スイッチ４５と接続端子４６とが、正極側配線４７と負極側配線４８の間に並列接続されて構成され、蓄電池用コンセント１２に接続される。蓄電池６２−１、・・・、６２−Ｎを、接続端子４６に接続した後、手動スイッチ４５を投入することにより、複数の蓄電池６２−１、・・・、６２−Ｎを並列に非常用電源装置１に接続することができる。なお、不図示の逆流防止ダイオードがそれぞれの蓄電池毎に設けられている。
【００８３】
複数の蓄電池を並列接続することにより、災害発生時において、多数の電気機器に対して必要な電力を速やかに供給することができる。  
また、充電された蓄電池を接続することにより、長期間にわたる災害支援に利用することができる。
【００８４】
更に、第９の実施の形態の太陽電池と組み合わせて、あるいは交互に使用することにより、給電を止めることなく継続することができるため、災害による影響を低減することができる。
【００８５】
（第１１の実施形態）  
第１１の実施の形態では、非常用電源装置１は、複数の乾電池を直列に接続する。従って、第８の実施の形態と同一の部位には同一の符号を付してその詳細の説明は省略する。
【００８６】
図１４は、第１１の実施の形態の非常用電源装置１に接続する乾電池ユニット４９の構成を示す図である。乾電池ユニット４９には、複数の乾電池５１を互いに直列に接続する接続金具５０が設けられている。直列に接続された乾電池５１の両端は、接続ケーブル５３を用いて非常用電源装置１の蓄電池用コンセント１２に接続される。乾電池ユニット４９の正極側の出力端子には、逆流防止ダイオード５２が接続されている。なお、この乾電池ユニット４９を用いる場合は、商用電源６０は、接続されない。
【００８７】
災害が発生した場合は、非常用電源装置１に接続した電器機器が安全であることを確認した上で、手動スイッチ９を投入する。制御装置３は、電力変換器２をインバータモードで制御し、負荷６１に対して所定の電力を供給する。
【００８８】
災害発生時において、蓄電池や太陽電池を利用できない場合においても、乾電池を利用することができる場合は、第１１の実施の形態の非常用電源装置１を用いることにより、必要とされる負荷に対して、速やかに所要の電力を供給することが可能となり、災害の影響を低減することができる。
【００８９】
（第１２の実施形態）  
第１２の実施の形態では、非常用電源装置１は、発電ユニットを接続する。従って、第８の実施の形態と同一の部位には同一の符号を付してその詳細の説明は省略する。
【００９０】
図１５は、第１２の実施の形態の非常用電源装置１に接続する発電ユニット５４の構成を示す図である。発電ユニット５４は、単相の電機子巻線を有する１次回路５５、永久磁石を有する２次回路５６、２次回路を回転させるための回転装置５７、及び非常用電源装置１の商用電源コンセント１０と接続するための接続ケーブル５８を備えている。
【００９１】
発電ユニット５４の回転装置５７を回転させることにより、２次回路５６が回転する。このとき１次回路５５の電機子巻線に起電力が発生し、蓄電池６２が充電される。
【００９２】
災害が発生し、商用電源や太陽電池を利用することができない場合においても、蓄電池を充電し、必要な負荷に対して所要の電力を供給することが可能となり、災害による影響を低減することができる。
【００９３】
尚、本発明は、上記実施形態そのままに限定されるものではなく、実施段階ではその要旨を逸脱しない範囲で構成要素を変形して具体化できる。  
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００９４】
１…非常用電源装置、２…電力変換器、３…制御回路、４…リレー制御回路、５…交流電圧検出器、６…直流電圧検出器、７…Ｂ接点、８…Ｂ接点、９…手動スイッチ、１０…コンセント、１１…コンセント、１２…コンセント、１３…コンセント、１８…逆流防止ダイオード、２０…直流電流検出器、２２…残存容量演算回路、２５…表示回路、２６…開放電圧演算回路、２７…乗算回路、２８…積分回路、２９…記憶回路、３０…最終放電量演算回路、３１…減算回路、４１…筐体、４２…接地端子、４３…取手、４４…多重化装置、４９…乾電池ユニット、５４…発電ユニット、５７…回転装置、６０…商用電源、６１…負荷、６２…蓄電池、６２…非常用電源、６３…太陽電池、１１８…交流フィルタ、１１９…直流フィルタ。
【図１】
2013039013.tif 000009
【図２】
2013039013.tif 000010
【図３】
2013039013.tif 000011
【図４】
2013039013.tif 000012
【図５】
2013039013.tif 000013
【図６】
2013039013.tif 000014
【図７】
2013039013.tif 000015
【図８】
2013039013.tif 000016
【図９】
2013039013.tif 000017
【図１０】
2013039013.tif 000018
【図１１】
2013039013.tif 000019
【図１２】
2013039013.tif 000020
【図１３】
2013039013.tif 000021
【図１４】
2013039013.tif 000022
【図１５】
2013039013.tif 000023
【図１６】
2013039013.tif 000024
【図１７】
2013039013.tif 000025